(57)【要約】【課題】  建物の鋼材が建てこまれた時点で、空調や衛生配管を含む設備の水平配管と枠材とをユニットとして取り付ける。【解決手段】  空調や衛生配管を含む設備の水平配管と枠材とがユニット化された水平配管ユニットを組み込む水平配管ユニット工法であって、建物の複数の大梁Ａ、Ｃが組まれた後で、かつ、大梁Ａ間に小梁Ｂが組み込まれる前に、水平配管ユニット１を建物の外側において大梁Ａ、Ｃの上方まで吊り上げて、水平配管ユニット１を建物の内側に移動させて大梁Ａ、Ｃの下方まで吊り降ろして、水平配管ユニット１が大梁Ａと略平行に位置した状態で、枠材を大梁Ｃと接合する、ことを特徴とする。【選択図】  図１
2014152482.tif 000002
【特許請求の範囲】
【請求項１】
空調や衛生配管を含む設備の水平配管と枠材とがユニット化された水平配管ユニットを組み込む水平配管ユニット工法であって、
建物の柱間に複数の第１の梁が組まれた後で、かつ、前記第１の梁間に第２の梁が組み込まれる前に、
前記水平配管ユニットを前記建物の外側において前記第１の梁の上方まで吊り上げて、
前記水平配管ユニットを前記建物の内側に移動させて前記第１の梁の下方まで吊り降ろして、
前記水平配管ユニットが前記第１の梁と略平行に位置した状態で、前記枠材を前記第１の梁と接合する、
ことを特徴とする水平配管ユニット工法。
【請求項２】
前記第２の梁が組まれて前記第１の梁に接合した後に、隣接する前記水平配管ユニットを接続する、
ことを特徴とする請求項１に記載の水平配管ユニット工法。
【請求項３】
前記水平配管ユニットは、前記建物の内側に移動させた後に水平面において向きを回転させる、
ことを特徴とする請求項１または２に記載の水平配管ユニット工法。
【請求項４】
前記水平配管ユニットは、前記水平配管の下方に運搬専用架台が着脱自在である、
ことを特徴とする請求項１ないし３のいずれか１項に記載の水平配管ユニット工法。
【発明の詳細な説明】
【技術分野】
【０００１】
この発明は、例えばオフィスビルやホテルなどのビル建設にともなう配管工事において、空調や衛生配管を含む設備の水平配管（横引管）と枠材とをユニットとして取り付ける水平配管ユニット工法に関する。
【背景技術】
【０００２】
オフィスビルやホテルなどのビル建設にともなう配管工事において、高所作業を削減するために空調や衛生配管を含む設備の水平配管と枠材とをユニットとして組み立てる水平配管ユニット工法が採用されている。
【０００３】
ここで、水平配管ユニット工法とは、各階に配設する空調や衛生配管を含む設備の水平配管を複数のユニットとして工場で加工しておき、現場に搬入した後に、揚重・取り付けを行うものであり、限られた揚重設備の有効活用と、人・機材の集中を避けるための先行工事を目的とする。このようなユニット工法によって、現場でのパイプの切断、ねじ切りなどの加工作業や、溶接作業を減らすことができるため、作業スペースや人工が減り、また、現場での作業を減らせるためにより安全となり、現場での溶接作業を減らせるために火災などの危険もなくなる。また、現場では、並行して配管の取り付け準備など他の作業を行うことができる。さらに、現場での作業を削減することにより、人の集中（輻輳）が回避されるため安全を確保し易くなる。
【０００４】
このような水平配管ユニット工法としては、地上でフロアプレートの下にダクトを配設してフロアユニットとし、柱と梁を形成した後に前記フロアユニットを揚重して据え付けるユニットフロア工法に関する技術が知られている（例えば、特許文献１参照。）。また、配管モジュールを構成する複数の構成部品をモジュール製作用架台にて組み立てて配管モジュールとした後に、モジュール製作用架台を走行用レールに沿ってジブクレーンの回転半径内に移動させ、配管モジュールを引き上げ、これを運搬する配管モジュール工法および物品引き上げ方法に関する技術が知られている（例えば、特許文献２参照。）。さらに、少なくとも前後方向および左右方向に移動可能な移動機構の配管支持部に配管を支持した状態で、配管の位置決めおよび水平移動の少なくともいずれか一方を行う配管リフトアップ装置及びこれを用いたリフトアップ工法に関する技術が知られている（例えば、特許文献３参照。）。
【先行技術文献】
【特許文献】
【０００５】
【特許文献１】特開２００９−２９９３１１号公報
【特許文献２】特開２０００−０７２３７９号公報
【特許文献３】特開平０６−２８６９９０号公報
【発明の概要】
【発明が解決しようとする課題】
【０００６】
しかしながら、特許文献１に記載の技術は、デッキプレートに分岐ダクトなどを配設してフロアユニットを形成するため、ユニットのサイズが大きくなる。また、特許文献２および３に記載の技術は、建物内の床上にジブクレーンや吊下げ手段を配設するため、当該フロアの他の作業との調整が必要となる。
【０００７】
そこで、本出願の発明者は、建物の躯体鋼材（鋼材）が建てこまれた時点で、工場でユニット化した水平配管ユニットを鋼材に取り付けることにより、鋼材の揚重のために工事現場に常設されているクレーンを用いることができることに着目した。
【０００８】
この発明は、前記の課題を解決し、建物の鋼材が建てこまれた時点で、空調や衛生配管を含む設備の水平配管と枠材とをユニットとして取り付ける水平配管ユニット工法を提供することを目的としている。
【課題を解決するための手段】
【０００９】
前記の課題を解決するために、請求項１の発明は、空調や衛生配管を含む設備の水平配管と枠材とがユニット化された水平配管ユニットを組み込む水平配管ユニット工法であって、建物の柱間に複数の第１の梁が組まれた後で、かつ、前記第１の梁間に第２の梁が組み込まれる前に、前記水平配管ユニットを前記建物の外側において前記第１の梁の上方まで吊り上げて、前記水平配管ユニットを前記建物の内側に移動させて前記第１の梁の下方まで吊り降ろして、前記水平配管ユニットが前記第１の梁と略平行に位置した状態で、前記枠材を前記第１の梁と接合する、ことを特徴とする水平配管ユニット工法である。
【００１０】
この発明によれば、建物の柱間に複数の第１の梁が組まれた後で、かつ、第１の梁間に第２の梁が組み込まれる前に、水平配管ユニットを建物の外側において第１の梁の上方まで吊り上げられて、水平配管ユニットが建物の内側に移動されて第１の梁の下方まで吊り降ろされて、水平配管ユニットが第１の梁と略平行に位置した状態で、枠材が第１の梁と接合される。
【００１１】
請求項２の発明は、請求項1記載の水平配管ユニット工法において、前記第２の梁が組まれて前記第１の梁に接合した後に、隣接する前記水平配管ユニットを接続する、ことを特徴とする。
【００１２】
請求項３の発明は、請求項1または２に記載の水平配管ユニット工法において、前記水平配管ユニットは、前記建物の内側に移動させた後に水平面において向きを回転させる、ことを特徴とする。
【００１３】
請求項４の発明は、請求項１ないし３のいずれか１項に記載の水平配管ユニット工法において、前記水平配管ユニットは、前記水平配管の下方に運搬専用架台が着脱自在である、ことを特徴とする。
【発明の効果】
【００１４】
請求項１に記載の発明によれば、建物の第１の梁間に第２の梁が組み込まれる前に、水平配管ユニットが揚重されて、第１の梁に取り付けられるので、干渉する梁を含む鋼材が少ない状態で揚重することができる。このとき、第１の梁と第２の梁の揚重時に、水平配管ユニットを揚重するので、建物の鋼材の揚重のために常設されているクレーンを使用することができる。このように、建築工事と設備の施工工事とが融合することにより、工事全体の工期を短縮できる。
【００１５】
また、鋼材組込作業者（鉄骨鳶）が、第１の梁と第２の梁の揚重の間に、水平配管ユニットの揚重、組み込みを行うことができるので配管作業者が不要となり、他の職種の作業者間での作業の調整が不要となり、手間と時間とを削減できる。また、水平配管ユニットを揚重したり、高所において組み込んだりする作業を、高所作業に熟練した鋼材組込作業者が行うので、工期を短縮し、かつ、より安全性を高めることができる。
【００１６】
さらに、枠材は第１の梁と接合されるので、水平配管ユニットの組み込みのための支持材が不要となる。このため、水平配管ユニットの組み込みの手間を削減し、使用する鋼材を削減可能である。
【００１７】
請求項２に記載の発明によれば、第２の梁が組まれて第１の梁に接合した後に、隣接する水平配管ユニットを接続する。すなわち、クレーンによって第１の梁の揚重と、水平配管ユニットの揚重と、第２の梁の揚重とセットとを行った後に、隣接する水平配管ユニットの接続作業を行うので、クレーンを効率的に使用可能であり、工事全体の工期を短縮できる。
【００１８】
請求項３に記載の発明によれば、水平配管ユニットは、建物の内側に移動させた後に向きを回転させるので、第１の梁の配置形状が縦横で長さが異なっている場合であっても、容易に水平配管ユニットを吊り込むことができる。具体的には、まず、水平配管ユニットを第１の梁間が広く揚重し易い方向から揚重した後に、例えば、９０°方向変換して第１の梁間が狭い方向に配設することで、干渉する梁が少ない状態で組み込むことができる。このため、水平配管ユニットの長さを、間隔が広い第１の梁の長さとすることができる。すなわち、水平配管ユニットを長くすることができるので、水平配管ユニット同士の接続部に用いる短管や継手の数を削減可能である。これにより、接続部の数を減らすことができるので、漏水の発生を抑制することが可能である。
【００１９】
請求項４に記載の発明によれば、水平配管の下方に運搬専用架台が着脱自在であるので、例えば、車両での運搬時に、水平配管の下側が荷台によって損傷することを防止できる。
【図面の簡単な説明】
【００２０】
【図１】本発明の実施の形態に係る水平配管ユニットの正面図である。
【図２】図１の水平配管ユニットの平面図である。
【図３】図１の水平配管ユニットを組み込んだ状態の斜視図である。
【図４】図１の水平配管ユニットを組み込んだ建物の図であり、第２の梁を組み込んだ状態を示す平面図である。
【図５】図４の水平配管ユニットを組み込んだ建物の側面図である。
【図６】図１の水平配管ユニットの運搬作業を示す概略図であり、水平配管ユニットを運搬車の荷台に積載した状態を示す斜視図である。
【図７】図１の水平配管ユニットの揚重作業を示す概略図であり、水平配管ユニットを揚重して吊り上げている状態を示す斜視図である。
【図８】図１の水平配管ユニットの揚重作業を示す概略図であり、水平配管ユニットを揚重して吊り下げている状態を示す斜視図である。
【図９】図１の水平配管ユニットの揚重作業を示す概略図であり、水平配管ユニットを回転する前の状態を示す平面図である。
【図１０】図１の水平配管ユニットの揚重作業を示す概略図であり、水平配管ユニットを回転している状態を示す斜視図である。
【図１１】図１の水平配管ユニットの揚重作業を示す概略図であり、水平配管ユニットを組み込んだ状態を示す斜視図である。
【図１２】図１の水平配管ユニットの揚重作業を示す概略図であり、水平配管ユニットを回転した状態を示す平面図である。
【図１３】図１の水平配管ユニットの揚重作業を示す概略図であり、他の系統の水平配管ユニットを回転する前の状態を示す平面図である。
【図１４】図１の水平配管ユニットの揚重作業を示す概略図であり、他の系統の水平配管ユニットを回転した状態を示す平面図である。
【図１５】従来の水平配管ユニットを組み込んだ状態を示す側面図である。
【発明を実施するための形態】
【００２１】
図１ないし図１４は、この発明の実施の形態を示している。
【００２２】
水平配管ユニット１は、図１、図２に示すように、主として、空調や衛生配管を含む設備の水平配管２、３、４、５と、枝管６と、配管ラック７とがユニット化されたものであり、図２、図３に示すように、建物の柱間に架された第１の梁（大梁）Ｃに吊下げられるものである。この実施の形態においては、建物は、図４、図５に示すように、鋼材、すなわち、大梁Ａ、Ｃと、小梁Ｂと、柱Ｄとで建て込まれている。この建物の水平面は、図４に示すように、横方向には、大梁Ａ１、Ａ２と、大梁Ａ１、Ａ２間の小梁Ｂ１〜Ｂ３が配設され、縦方向には、大梁Ｃ１〜Ｃ４が配設されて構成される。ここで、大梁Ａ１、Ａ２間の距離はｄ１であり、大梁Ｃ１、Ｃ２の軸芯間の距離はｄ２となっており、大梁Ａ、Ｃの配置形状が縦横で長さが異なっている。このような構成の建物に、２系統の水平配管ユニット１１１〜１１４、１２１〜１２４を梁間が狭い大梁Ｃ１、Ｃ２間、すなわち、大梁Ａの長手方向に沿って配設するものとする。
【００２３】
水平配管２は、図１ないし図３に示すように、第１の系統（Ｂ系）の送り管（往管）であり、熱源機器（図示略）から放熱器や空調機を含む負荷機器１００に熱媒を供給するものである。水平配管２は、直径２５０Ａ、長さｌ（＝７０００ｍｍ）の配管で構成され、長手方向の両端部にはフランジが形成されており、隣接する水平配管ユニット１の水平配管２を含む配管部材と接続可能となっている。ここで、水平配管２の長さｌは、大梁Ａ間の距離ｄ１よりも小で、大梁Ｃ間の距離ｄ２よりも大に設定されている。この水平配管２は、水平配管ユニット１が大梁Ｃに吊下げられた状態においては、建物の床面から４１５０ｍｍの高さに略水平に配設される。
【００２４】
水平配管３は、第１の系統（Ｂ系）の戻り管（還管）であり、水平配管２の下方に位置し、負荷機器１００側で熱交換を行った熱媒を熱源機器へ戻すものである。水平配管３は、水平配管２と同等な構成であるため説明を省略する。この水平配管３は、水平配管ユニット１が大梁Ｃに吊下げられた状態においては、建物の床面から３５００ｍｍの高さに略水平に配設される。
【００２５】
水平配管４は、第２の系統（Ａ系）の送り管（往管）であり、水平配管３と長手方向に沿って配設されて、熱源機器から放熱器や空調機を含む負荷機器１００に熱媒を供給するものである。水平配管４は、水平配管２と同等な構成であるため説明を省略する。この水平配管４は、水平配管ユニット１が大梁Ｃに吊下げられた状態においては、建物の床面から３５００ｍｍの高さに略水平に配設される。
【００２６】
水平配管５は、第２の系統（Ａ系）の戻り管（還管）であり、水平配管４と長手方向に沿って配設されて、負荷機器１００側で熱交換を行った熱媒を熱源機器へ戻すものである。水平配管５は、水平配管２と同等な構成であるため説明を省略する。この水平配管５は、水平配管ユニット１が大梁Ｃに吊下げられた状態においては、建物の床面から３５００ｍｍの高さに略水平に配設される。
【００２７】
枝管６は、水平配管２〜５からそれぞれ分岐して、熱源機器や負荷機器１００と接続するためのものであり、ここでは、図１に示された枝管６２〜６５について説明するものとする。
【００２８】
枝管６２は、水平配管２から分岐するように接続されたものであり、水平配管２から流入した熱媒を負荷機器１００に送出するものでる。この枝管６２は、略Ｌ字型に形成されており、配管ラック７よりも外方に張り出した状態で配設されている。
【００２９】
枝管６３は、水平配管３から分岐するように接続されたものであり、負荷機器１００から流入した熱媒を水平配管３に送出するものである。この枝管６３は、配管ラック７より下方に張り出した状態で配設されている。
【００３０】
枝管６４は、水平配管４から分岐するように接続されたものであり、水平配管４から流入した熱媒を負荷機器１００に送出するものでる。この枝管６４は、配管ラック７より下方に張り出した状態で配設されている。
【００３１】
枝管６５は、水平配管５から分岐するように接続されたものであり、負荷機器１００から流入した熱媒を水平配管５に送出するものである。この枝管６５は、配管ラック７より下方に張り出した状態で配設されている。
【００３２】
配管ラック７は、水平配管ユニット１を、図２、図３に示すように、大梁Ｃｉ、Ｃｉ＋１にガセットプレート（図示略）を介して固定するためにＨ形鋼を含む鋼材で構成されたものである。配管ラック７は、図１ないし図３に示すように、主として、枠材７１、７２と、フレーム７３〜７９を備えている。
【００３３】
枠材７１は、図２に示すように、大梁Ｃｉ、Ｃｉ＋１間の距離よりも短い長さのＨ形鋼であり、図１に示すように、水平配管２の下方かつ水平配管３〜５の上方で、水平配管５の外側に略平行に配設されている。また、枠材７１と枠材７２とは、平行に対向している。
【００３４】
枠材７２は、枠材７１と同等に構成されており、水平配管２の下方かつ水平配管３〜５の上方で、水平配管２、３の外側に枠材７１と略平行に配設されている。
【００３５】
フレーム７３は、鋼材で構成された枠材７３１〜７３４を組み合わせて長方形状に形成されているものである。具体的には、枠材７３１は、一端側が枠材７１の一端側のウェブに溶接され、他端側が枠材７２の一端側のウェブに溶接されて、枠材７１、７２間に水平に配設されている。また、枠材７３２、７３３、７３４は略コの字型に溶接されており、枠材７１の下部フランジに枠材７３２の上端側が溶接され、枠材７２の下部フランジに枠材７３４の上端側が溶接されている。
【００３６】
このフレーム７３の枠材７３１には、配管保持部８２がボルト止めされ、枠材７３３には、配管保持部８３〜８５がボルト止めされている。そして、枠材７３１は、配管保持部８２を介して水平配管２を下方から支持し、枠材７３３は、配管保持部８３〜８５を介して水平配管３〜５を下方から支持するようになっている。
【００３７】
フレーム７４〜７９は、フレーム７３と同様に構成されており、水平配管２〜５を下方から支持するためのものであり、図２に示すように、枠材７１、７２の長手方向の他端側に向かって所定間隔で配設されている。
【００３８】
運搬専用架台９は、図６に示すように、水平配管ユニット１をトラックの荷台２００に積載して運搬する際に使用され、水平配管ユニット１の下側の枝管６３〜６５を保護するためのものである。具体的には、主として、長方形の支持フレーム９１と、長方形の各頂部から垂直上方に立設する支持アーム（ここでは、溝形鋼（Ｃチャンネル）９２とを備えている。支持アーム９２は、頂部に鉄プレートが溶接されており、この鉄プレートと水平配管ユニット１の枠材７１、７２のフランジ部下端とをボルト止めすることによって水平配管ユニット１を固定可能となっている。支持フレーム９１は、水平配管ユニット１の外周よりわずかに大に設定されており、支持アーム９２の長さ（高さ）は、配管ラック７の枠材７１、７２の上端と水平配管ユニット１の下側の枝管６３〜６５の下端との距離よりも大に設定されている。この支持アーム９２の上端に水平配管ユニット１を載置すると、枠材７１、７２の下部フランジを下方から支持し、枝管６３〜６５が荷台２００から離接するようになっている。
【００３９】
次に、このような構成の水平配管ユニット１を適用した水平配管ユニット工法について説明する。この実施の形態では、図４、図５に示すように、建物の５階に２系統の水平配管ユニット１１１〜１１４、１２１〜１２４を施工する場合について説明する。この建物は、大梁Ａ、Ｃと小梁Ｂと柱Ｄとが鋼材で構成された鉄骨構造である。
【００４０】
工場において、設置場所に合わせた水平配管ユニット１が複数組み立てられる。すなわち、図１、図２に示すような水平配管２、３、４、５と、枝管６と、配管ラック７とを含む長さ約７ｍの水平配管ユニット１が複数組み立てられる。
【００４１】
図６に示すように、組み立てられた水平配管ユニット１が、トラックの荷台２００に配設された運搬専用架台９に積載される。このとき、運搬専用架台９の支持アーム９２の上端に配管ラック７が載置され、配管ラック７は下方から支持された状態となっている。なお、水平配管ユニット１の運搬専用架台９への固定は次のとおりである。支持アーム９２の頂部には、鉄プレートが溶接されており、この鉄プレートと水平配管ユニット１の枠材７１、７２のフランジ部下端とがボルト止めされることにより接合されている。
【００４２】
そして、ビルの建設にともなって、５階の大梁Ａ１、Ａ２、Ｃ１〜Ｃ４の組み込みが終わると、水平配管ユニット１が積載されたトラックがクレーンの設置場所、すなわち、吊り上げ位置まで移動され、運搬専用架台９と接合していたボルトが外されて固定が解除され、水平配管ユニット１が吊り上げられる。すなわち、図６に示すように、トラックの荷台２００に積載されてビルの建設現場に搬入された水平配管ユニット１が、鋼材組込作業者によって、ワイヤーロープを介してクレーン（図示略）に吊下げられる。
【００４３】
そして、クレーンによって水平配管ユニット１が吊下げられた状態で、トラックが前方に移動されると、水平配管ユニット１がトラックの荷台２００から外れた状態となり、クレーンに吊下げられる。このとき、水平配管ユニット１はトラックの荷台２００と同程度の高さで保持されている。
【００４４】
そして、鋼材組込作業者によって、水平配管ユニット１の下側に足場が取り付けられる。この実施の形態では、水平配管ユニット１の長手方向の両端部に、枠材７１、７２の長手方向と平行に、側方へ張り出すように平板状の足場が取り付けられる。
【００４５】
そして、図７に示すように、クレーンによって水平配管ユニット１が建物の外側において設置されるべき階、ここでは鉄骨建て込み中の最上階である５階の大梁Ａ１、Ａ２、Ｃ１〜Ｃ４の上方まで矢印方向に吊り上げられる。このとき、水平配管ユニット１の水平配管２、３、４、５の長手方向が大梁Ｃと略平行となるように吊り上げられる。
【００４６】
そして、図８、図９に示すように、クレーンによって水平配管ユニット１が横方向に移動されることにより建物の内側に移動されて、大梁Ａ１、Ａ２、Ｃ１〜Ｃ４の下方まで吊り降ろされる。このとき、水平配管ユニット１の長さｌは、大梁Ａ間の距離ｄ１より小であるため、移動時に大梁Ａ、Ｃが干渉しないようになっている。
【００４７】
そして、図１０に示すように、クレーンによって水平配管ユニット１が建物の内側において矢印方向に回転されて、水平配管２〜５が大梁Ａと略平行となるように方向変換される。このとき、コンクリート打設済の床面に鋼材組込作業者が立ち、水平配管ユニット１の長手方向の一端側に取り付けた操作ロープ（図示略）を引くことによって、水平配管ユニット１が方向変換される。
【００４８】
そして、図１１、図１２に示すように、水平配管ユニット１が大梁Ａと略平行に位置した状態で、クレーンによって取り付け位置まで吊り上げられて、枠材７１、７２が大梁Ｃｉ、Ｃｉ＋１に溶接されて固定される。
【００４９】
そして、クレーンの吊具が水平配管ユニット１から取り外される。このとき、隣接する水平配管ユニット１間は、約３０ｍｍのスペースを開けた状態で配設されている。
【００５０】
このようにして、図１３、図１４に示すように、順次、水平配管ユニット１１１〜１１４、１２１〜１２４がクレーンによって大梁Ｃに吊り上げられる。
【００５１】
つぎに、大梁Ａｉ、Ａｉ＋１の間に小梁Ｂｉ〜Ｂｉ＋２が組み込まれて溶接される。
【００５２】
つづいて、大梁Ｃｉ、Ｃｉ＋１の下方において隣接する水平配管ユニット１同士が、例えば、メカニカル継手を介して接続される。
【００５３】
そして、水平配管ユニット１が施工完了すると足場が取り外される。また、水平配管ユニット１が空調設備と接続された後に、水圧テストなどの各種テストが行われる。
【００５４】
このようにして、空調設備の設置階ごとに、建物の大梁Ａ、Ｃが建て込まれた時点で、水平配管ユニット１が取り付けられる。
【００５５】
以上のように、この実施の形態に係る発明によれば、建物の大梁Ａ間に小梁Ｂが組み込まれる前に、水平配管ユニット１が揚重されて、大梁Ｃに取り付けられるので、干渉する梁を含む鋼材が少ない状態で揚重することができる。これに対して、大梁Ａ、Ｃと小梁Ｂとが組み込まれた後に水平配管ユニット１を揚重する場合は、狭い格子状のスペースに水平配管ユニット１を通す必要があるため、作業効率が低下する。
【００５６】
また、大梁Ａ、Ｃと小梁Ｂの揚重時に、水平配管ユニット１を揚重するので、建物の鋼材の揚重のために常設されているクレーンを使用することができる。このように、建築工事と設備の施工工事とが融合することにより、工事全体の工期を短縮できる。
【００５７】
また、鋼材組込作業者が、大梁Ａ、Ｃと小梁Ｂの揚重時に、水平配管ユニット１の揚重、組み込みを行うので配管作業者が不要となるため、他の職種の作業者間での作業の調整が不要となり、手間と時間とを削減できる。また、水平配管ユニット１を揚重したり、高所において組み込んだりする作業を、高所作業に熟練した鋼材組込作業者が行うので、工期を短縮し、かつ、より安全性を高めることができる。
【００５８】
さらに、枠材は大梁Ｃと接合されるので、水平配管ユニット１の組み込みのための支持材が不要となる。このため、水平配管ユニット１の組み込みの手間を削減し、使用する鋼材を削減可能である。
【００５９】
また、小梁Ｂが組まれて大梁Ａに接合した後に、隣接する水平配管ユニット１を接続する。すなわち、クレーンによって大梁Ａ、Ｃの揚重と、水平配管ユニット１の揚重と、小梁Ｂの揚重を行った後に、隣接する水平配管ユニット１の接続作業を行うので、クレーンを効率的に使用可能であり、工事全体の工期を短縮できる。
【００６０】
また、水平配管ユニット１は大梁Ｃと平行に吊り上げた後で、配設方向となるように回転され方向変換されるので、大梁Ａ、Ｃの配置形状が縦横で長さが異なっている場合であっても、容易に水平配管ユニット１を吊り込むことができる。具体的には、まず、水平配管ユニット１を梁間が広く揚重し易い方向、すなわち、大梁Ｃと平行に揚重した後に、９０°方向変換して梁間が狭い方向、すなわち、大梁Ａと平行に配設することで、干渉する梁が少ない状態で組み込むことができる。このため、水平配管ユニット１の長さを、間隔が広い大梁Ａ間の長さとすることができる。すなわち、水平配管ユニット１を長くすることができるので、水平配管ユニット１同士の接続部に用いる短管や継手の数を削減可能である。これにより、接続部の数を減らすことができるので、漏水の発生を抑制することが可能である。
【００６１】
ここで、図１５に示すように、水平配管ユニット１を方向転換せずに吊り込む場合は、水平配管ユニット１の長さは大梁Ｃ間の距離ｄ２（＜ｄ１）より小に設定する必要がある。このとき、水平配管ユニット１の長さが短いため、接続部に用いる短管や継手の数が多くなってしまう。
【００６２】
さらに、水平配管３〜５の下方に運搬専用架台９が着脱自在であるので、例えば、トラックでの運搬時に、水平配管３〜５の下側の枝管６が荷台２００によって損傷することを防止できる。
【００６３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、水平配管ユニット１を図１、図２に示す形態で説明したが、これに限定されないことはもちろんである。
【００６４】
また、水平配管２〜５は、冷水や温水を通す配管、空気を通気するダクト、電線管であってもよいことはもちろんである。
【００６５】
さらに、水平配管２〜５の断面形状は、図示した円形には限定されず、例えば、楕円や矩形であってもよい。
【符号の説明】
【００６６】
１              水平配管ユニット
２              水平配管（主配管）
３              水平配管（主配管）
４              水平配管（主配管）
５              水平配管（主配管）
６              水平配管（枝管）
７              枠材
８              配管保持部
９              運搬専用架台
Ａ              大梁（第１の梁）
Ｂ              小梁（第２の梁）
Ｃ              大梁（第１の梁）
Ｄ              柱
【図１】
2014152482.tif 000003
【図２】
2014152482.tif 000004
【図３】
2014152482.tif 000005
【図４】
2014152482.tif 000006
【図５】
2014152482.tif 000007
【図６】
2014152482.tif 000008
【図７】
2014152482.tif 000009
【図８】
2014152482.tif 000010
【図９】
2014152482.tif 000011
【図１０】
2014152482.tif 000012
【図１１】
2014152482.tif 000013
【図１２】
2014152482.tif 000014
【図１３】
2014152482.tif 000015
【図１４】
2014152482.tif 000016
【図１５】
2014152482.tif 000017